(57)【要約】【課題】画像データに対して色調補正を容易に行う。【解決手段】色相および彩度を調整するためのＨＳコントロールは、回転リングＲＲ、彩度増減ボタンＳＢ、リングボタンＲＢ、カーソルＣＵＲ、色相環ＨＲによって構成されている。ユーザはマウスによって回転リングＲＲをドラッグして回転させることにより色相の調整を行う。また、回転リングＲＲ上に設けられた彩度増減ボタンＳＢを押すことにより彩度の調整を行う。【選択図】　図５
2004072168.tif 000002
【特許請求の範囲】
【請求項１】
画像データの色調を補正する画像処理装置であって、
色相の異なる色を環状に配置した色相環を提示する提示部と、
ユーザの操作に応じて前記色相環の外周に沿って移動可能な色相調整コントロールを提示する第２提示部と、
前記色相調整コントロールの位置に基づいて、色相の補正値を入力する補正値入力部と、
を備える画像処理装置。
【請求項２】
請求項１に記載の画像処理装置であって、
前記提示部は、前記色相環内部の代表点から周方向に、同一色相で彩度を変化させた色を併せて提示し、
前記第２提示部は、前記色相調整コントロールが位置する色相で、前記彩度の変化に沿って移動可能な彩度調整マーカを提示し、
前記補正値入力部は、前記彩度調整マーカの位置に基づき、彩度の補正値を入力する画像処理装置。
【請求項３】
請求項２に記載の画像処理装置であって、
前記彩度調整マーカは、前記色相調整コントロールに設けられたボタンの操作で移動する画像処理装置。
【請求項４】
請求項１に記載の画像処理装置であって、
前記色相環は、色相を連続的に変化させた色を配置した画像処理装置。
【請求項５】
請求項１に記載の画像処理装置であって、
前記色相環は円形である画像処理装置。
【請求項６】
請求項１に記載の画像処理装置であって、
前記提示部は、前記色相環内部の代表点から周方向に、同一色相で彩度を変化させた色を併せて提示し、
更に、明度およびコントラストの少なくとも一方を補正するための補正値を入力する第２補正値入力部を備え、
前記提示部は、前記第２補正値入力部に入力された明度またはコントラストの補正値に基づき前記色相環中に配置した色を補正する画像処理装置。
【請求項７】
画像データの色調を補正する画像処理装置であって、
色相の変化に応じて色を一定方向に配置し、前記方向と異なる軸方向に前記各色の彩度を変化させた色を配置した領域を提示する提示部と、
前記領域内に配置された色のいずれかを選択するためのマーカを提示するマーカ提示部と、
ユーザの操作に応じて前記マーカを移動させるコントロールを提示するコントロール提示部と、
前記マーカの位置に基づいて色相および彩度の補正値を入力する補正値入力部とを備え、
前記コントロールは、ユーザからの異なる操作により前記マーカの移動方向を色相方向または彩度方向のいずれかに独立して指定可能な画像処理装置。
【請求項８】
画像データの色調補正を行うためのコンピュータプログラムであって、
（ａ）　色相の異なる色を環状に配置した色相環を提示する機能と、
（ｂ）　ユーザの操作に応じて前記色相環の外周に沿って移動可能な色相調整コントロールを提示する機能と、
（ｃ）　前記色相調整コントロールの位置に基づいて、色相の補正値を入力する機能と、
をコンピュータに実現させるためのコンピュータプログラム。
【請求項９】
請求項８に記載のコンピュータプログラムであって、
前記機能（ａ）は、前記色相環内部の代表点から周方向に、同一色相で彩度を変化させた色を併せて提示し、
前記機能（ｂ）は、前記色相調整コントロールが位置する色相で、前記彩度の変化に沿って移動可能な彩度調整マーカを提示し、
前記機能（ｃ）は、前記彩度調整マーカの位置に基づき、彩度の補正値を入力するコンピュータプログラム。
【請求項１０】
請求項８または９に記載のコンピュータプログラムを記録したコンピュータ読取可能な記録媒体。
【発明の詳細な説明】
【０００１】
【発明の属する技術分野】
本発明は、画像データの色調補正方法に関する。
【０００２】
【従来の技術】
画像データの色調補正を行うためには、コンピュータにインストールされた画像処理ソフトウェアが用いられていた。画像処理ソフトウェアには、スライドバーやトーンカーブ、数値入力等のコントロールが用意されており、ユーザはこれらのコントロールを用いて色調を補正していた。
【０００３】
【発明が解決しようとする課題】
しかし、従来のコントロールでは直感的な操作が困難であり、効果的な補正を行うためには、ある程度、画像処理ソフトウェアに習熟する必要であった。
【０００４】
本発明は、このような課題に鑑みてなされたものであり、画像データに対する色調補正を容易にすることを目的とする。
【０００５】
【課題を解決するための手段およびその作用・効果】
上記課題を解決するため、本発明の画像処理装置を以下の構成とした。すなわち、
画像データの色調を補正する画像処理装置であって、
色相の異なる色を環状に配置した色相環を提示する提示部と、
ユーザの操作に応じて前記色相環の外周に沿って移動可能な色相調整コントロールを提示する第２提示部と、
前記色相調整コントロールの位置に基づいて、色相の補正値を入力する補正値入力部と、
を備えることを要旨とする。
【０００６】
このような画像処理装置であれば、色相環の外周に沿って色相調整コントロールを移動させるという簡便な操作のみで画像データの色相を補正することができる。色相調整コントロールの移動は、例えばマウスによるドラッグ操作等によって行うことができる。
【０００７】
色相環の形状は円形であれば色相調整コントロールの移動を円滑に行うことができる。しかし、その形状は円形に限定されることはなく、例えば、正方形や星型等の多角形であってもよい。すなわち、「環」とは、閉じた図形の形状を意味するものとする。
【０００８】
また、色相の調整をより詳細に行うことを可能にするため、色相環には、色相を連続的に変化させた色が配置されていることが望ましい。
【０００９】
ここで、上記構成の画像処理装置において、
前記提示部は、前記色相環内部の代表点から周方向に、同一色相で彩度を変化させた色を併せて提示し、
前記第２提示部は、前記色相調整コントロールが位置する色相で、前記彩度の変化に沿って移動可能な彩度調整マーカを提示し、
前記補正値入力部は、前記彩度調整マーカの位置に基づき、彩度の補正値を入力するものとしてもよい。
【００１０】
このような構成であれば、彩度の変化に応じた色が色相環内に提示されるため、ユーザは直感的に彩度を調整することができる。また、彩度調整マーカを用いることにより、色相を一定に保ったまま彩度を調整することができる。なお、前記色相調整コントロールにボタンを設け、このボタン操作で彩度調整マーカが移動可能であると、操作場所の共通化を図ることができるため利便性を向上することができる。
【００１１】
色相環内部の代表点とは、色相環の中心点でもよいし任意の点でもよい。また、彩度の変化は、周方向に向かって単純に増加あるいは減少していくものとしてもよいし、途中で増加率が変化するものとしてもよい。
【００１２】
また、上述した種々の構成の画像処理装置において、
前記提示部は、前記色相環内部の代表点から周方向に、同一色相で彩度を変化させた色を併せて提示し、
更に、明度およびコントラストの少なくとも一方を補正するための補正値を入力する第２補正値入力部を備え、
前記提示部は、前記第２補正値入力部に入力された明度またはコントラストの補正値に基づき前記色相環中に配置した色を補正するものとしてもよい。
【００１３】
こうすることにより、明度やコントラストの補正値の入力に応じて色相環内の色を変化させることができる。従って、より直感的に補正値を指定することができる。
【００１４】
また、本発明は、以下の画像処理装置としても構成することができる。すなわち、
画像データの色調を補正する画像処理装置であって、
色相の変化に応じて色を一定方向に配置し、前記方向と異なる軸方向に前記各色の彩度を変化させた色を配置した領域を提示する色配置領域提示部と、
前記領域内に配置された色のいずれかを選択するためのマーカを提示するマーカ提示部と、
ユーザの操作に応じて前記マーカを移動させるコントロールを提示するコントロール提示部と、
前記マーカの位置に基づいて色相および彩度の補正値を入力する補正値入力部とを備え、
前記コントロールは、ユーザからの異なる操作により前記マーカの移動方向を色相方向または彩度方向のいずれかに独立して指定可能な画像処理装置である。
【００１５】
このような構成であれば、１つのコントロールに対して異なる操作を行うことにより色相と彩度の補正値を独立して指定することができる。すなわち、操作箇所を共通化することができるため、利便性の向上を図ることが可能となる。
【００１６】
本発明は、上述の種々の構成の画像処理装置としての態様のほか、画像データの色調補正を行うためのコンピュータプログラムとしても構成することができる。コンピュータプログラムは、コンピュータ読取可能な各種記録媒体に記録してもよい。記録媒体としては、フレキシブルディスクやＣＤ−ＲＯＭ、ＤＶＤ、光磁気ディスク、ＩＣカード、ハードディスク等の種々の媒体を利用可能である。
【００１７】
【発明の実施の形態】
以下、本発明の実施の形態について実施例に基づき次の順序で説明する。
Ａ．画像処理システム：
Ｂ．画像処理装置のソフトウェア構成：
Ｃ．ＧＵＩの構成：
Ｄ．補正値決定処理：
Ｅ．変形例：
【００１８】
Ａ．画像処理システム：
図１は、画像処理や画像出力を行う画像処理システム１０の構成を示す説明図である。画像処理システム１０は、デジタルカメラを用いて撮影した結婚式の写真やポートレート等を所定の専用用紙にレイアウトを施し印刷するプロ向けのシステムである。画像処理システム１０は、クライアントＰＣ１，ＰＣ２（以下、総称して「クライアントＰＣ」と記載）と、プリンタサーバＰＳとをＬＡＮによって相互に接続することにより構成している。図ではクライアントを２台示しているが台数に制限はない。クライアントＰＣやプリンタサーバＰＳは、いわゆるＰＣ／ＡＴ互換機のコンピュータにより構成しており、ＣＰＵやＲＡＭ、ハードディスク、モニタ等を備えている。プリンタサーバＰＳには、２台のプリンタＰＴ１，ＰＴ２が接続されている。プリンタＰＴ１，ＰＴ２は同一種類のプリンタでもよいし、異なる特性のプリンタであってもよい。
【００１９】
クライアントＰＣには、デジタルカメラＤＣやハードディスク等から入力した画像データに画像処理を施すための画像処理ソフトウェアがインストールされている。ユーザは、この画像処理ソフトウェアを用いて、色調補正を施すための補正値や印刷用紙へのレイアウトを設定する。クライアントＰＣは、画像データ、レイアウトデータ、補正値、印刷用のＩＣＣプロファイル、印刷する部数やページを指定する印刷指示データをプリンタサーバＰＳに転送することにより印刷を実行する。
【００２０】
プリンタサーバＰＳは、クライアントＰＣからこれらのデータを受信すると、指定された色調補正、レイアウトを画像に施して印刷データを生成する。印刷データは印刷ジョブとしてスプールし、プリンタＰＴ１，ＰＴ２を適宜用いて印刷を行う。プリンタＰＴ１，ＰＴ２が同一種類のものであれば印刷を分散させて行うことができ、異なる特性であれば、印刷する画像に適したプリンタを選択することができる。プリンタサーバＰＳは、Ｗｅｂサーバ機能を内蔵しており、Ｗｅｂブラウザ経由でスプールしている印刷ジョブの状況をクライアントＰＣに提供することができる。クライアントＰＣは、プリンタサーバＰＳが提供するＷｅｂベースのインターフェースにより、印刷順序の入れ替えや印刷のキャンセル等のジョブ操作を行うことができる。
【００２１】
画像処理システム１０は、ルータＲＴを介してインターネット上の課金サーバＳＶに接続されている。プリンタサーバＰＳは、印刷した枚数の記録を課金サーバＳＶに送信する。課金サーバＳＶを運用する事業者は、この印刷枚数に応じた料金をユーザに課金する。このような課金システムは、画像処理システム１０をユーザにリースするビジネスに好適である。リース会社は、課金した料金によりシステムの保守や消耗品（印刷用紙やインク等）の提供に要する費用を賄うことができる。
【００２２】
Ｂ．画像処理ソフトウェアの構成：
図２は、クライアントＰＣにインストールされた画像処理ソフトウェアの構成の一部を示すブロック図である。以下、図示する各機能ブロックについて説明する。
【００２３】
主制御部１００は、各機能ブロックの全体制御を行う。画像データ入力部１１０は、ハードディスクやデジタルカメラ等から画像データを入力する。
【００２４】
補正値入力部１３０は、画面上にＧＵＩ（Ｇｒａｐｈｉｃａｌ　Ｕｓｅｒ　Ｉｎｔｅｒｆａｃｅ）を提供し、画像データの明度、コントラスト、色相、彩度を補正するための補正値をユーザから入力する。色調補正部１２０は、入力された補正値に基づき画像に色調補正を施しプレビューとしてＧＵＩ上に表示する。本実施例では、色調補正部１２０は、プレビューのための画像に色調補正を行うのみであり、画像データ入力部１１０により入力した画像データ自体を改変するものではないものとする。
【００２５】
レイアウト設定部１４０は、ユーザからの所定の操作により、画像のレイアウトを設定してレイアウトデータを生成する。レイアウトデータには、印刷用紙のどの位置にどの画像を印刷するかといった情報が含まれる。図２の下部にレイアウトの一例を示した。図示するように、本システムでは、１枚の用紙に複数の画像を様々なレイアウトで配置することができる。代表的なレイアウト図は、プリンタサーバＰＳに予め格納されており、クライアントＰＣはこれをダウンロードして利用することができる。また、ユーザが設定したレイアウト図をプリンタサーバＰＳに登録することもできる。
【００２６】
印刷処理部１５０は、色調補正やレイアウトを施した画像を印刷するために、画像データ、補正値、レイアウトデータ等をプリンタサーバＰＳに転送する。
【００２７】
Ｃ．ＧＵＩの構成：
図３は、補正値入力部１３０により提供されるＧＵＩを示す説明図である。本実施例では、ダイアログボックスの形態で表示されるものとした。ＧＵＩの左側にはプレビュー領域ＰＡを設けており、画像データ入力部１１０によって入力した画像データのプレビューが表示される。ＧＵＩの右側には、補正値を調整するための各種コントロールが設けられている。ユーザがこれらのコントロールを用いて調整を行った結果は、プレビュー領域に表示された画像にリアルタイムに反映される。
【００２８】
スライドバーＳＬ１は、明度を調整するためのコントロールである。スライドバーＳＬ１を右側にスライドさせると明度が上がり、左側にスライドさせると明度が下がる。スライドバーＳＬ１の右横には、数値入力ボックスとプラス／マイナスボタンが設けており、これらの操作によっても明度を調整することができる。本実施例では、これらのコントロールにより、入力した画像に対して−６０％〜＋６０％の範囲で明度が調整可能であるものとした。
【００２９】
スライドバーＳＬ２は、コントラストを調整するためのコントロールである。スライドバーＳＬ２を右側にスライドさせるとコントラストが上がり、左側にスライドさせるとコントラストが下がる。スライドバーＳＬ２の右横にも数値入力ボックスとプラス／マイナスボタンが設けており、これらの操作によってもコントラストを調整することができる。本実施例では、これらのコントロールにより、入力した画像に対して−４０％〜＋４０％の範囲でコントラストが調整可能であるものとした。
【００３０】
スライドバーＳＬ２の右下には、更に、色相と彩度を調整するための数値入力ボックスおよびプラス／マイナスボタンを設けた。色相の採り得る範囲は０°〜３６０°であり、その角度に対応した色相（図４（ａ）参照）が入力される。ユーザは色相を調整することにより、画像を、例えば、赤みがかった色調や青みがかった色調に補正することができる。また、彩度を調整することに、入力した画像に対して０％〜１００％の範囲であざやかさを増すことができる。
【００３１】
これらのコントロールの下側には、色相と彩度をより直感的に調整するための円形状のコントロールを設けた。以下の説明ではこのコントロールをＨＳコントロールと称する。ＨＳコントロールは、回転リングＲＲ、彩度増減ボタンＳＢ、リングボタンＲＢ、カーソルＣＵＲ、色相環ＨＲによって構成されている。ＨＳコントロールの詳細については後述する。
【００３２】
ＨＳコントロールの下に設けられた「Ｐｒｅｖｉｏｕｓ　Ｓｅｔｔｉｎｇ」ボタンは補正値を１ステップ前の状態に戻すためのボタンである。「Ｒｅｓｅｔ」ボタンは、上述の種々のコントロールによって調整した補正値を初期状態に戻す際に用いる。「Ｓａｖｅ」ボタンは、調整した補正値を保存する際に用いる。保存した補正値は、所定の操作により他の画像データを入力した際に再利用することができる。
【００３３】
ユーザは、上述の種々のコントロールによって調整を終了したら「ＯＫ」ボタンを押す。この「ＯＫ」ボタンの押下により画像データに色調補正を行う補正値が決定する。色調補正をキャンセルしたい場合には、「Ｃａｎｃｅｌ」ボタンを押せばよい。
【００３４】
図４は、ＨＳコントロール内に表示される色を示す説明図である。図４（ａ）で示すように、ＨＳコントロールの内部には、色相の異なる色を環状に配した色相環ＨＲを表示する。色相は、図中「０°」と示した位置から反時計回りに、赤→黄→緑→シアン→青→マゼンタ→赤の順にそれぞれの色が連続的に滑らかにつながるように配置されている。
【００３５】
この色相環ＨＲは、円の中心点から円周方向にかけて彩度が高くなるように表示する。図４（ｂ）は、この彩度の変化を表したグラフである。横軸は色相環の中心点からの距離Ａｘｒ（０％〜１００％）を示しており、縦軸は彩度（０％〜１００％）を示している。
【００３６】
この彩度の変化は、グラフ中の実線で示すように、一定の割合で単純に増加していくものとしてもよいが、点線で示すように、増加の割合を途中で変化させるものとしてもよい。図示した点線では距離Ａｘｒが２０％までは増加率が高く、２０％を越えると増加率が減少する例を示している。このような彩度の変化とすることにより、高い彩度の範囲において、より詳細な調整が可能となる。
【００３７】
色相環ＨＲ内に表示した色は、上述したスライドバーＳＬ１，ＳＬ２等による明度およびコントラストの調整によりリアルタイムに変化するものとした。すなわち、スライドバーＳＬ１により明度を高めれば色相環は明るくなり、明度を下げれば色相環は暗くなる。コントラストについても同様に、スライドバーＳＬ２によりコントラストを上げれば色相環のコントラストも高まり、コントラストを下げれば色相環内のコントラストも低くなる。
【００３８】
図５は、ＨＳコントロールの操作方法を示す説明図である。ＨＳコントロール内に表示されるカーソルＣＵＲは、色相環ＨＲの中心点から彩度増減ボタンＳＢの中心までの直線上に表示され、初期状態では色相環ＨＲの中心に表示される。ＨＳコントロールでは、このカーソルＣＵＲの位置に基づき色相と彩度の補正値が指定される。
【００３９】
ユーザは、回転リングＲＲをマウスでドラッグして回転させることにより、色相を調整することができる。このとき、その回転に連動して彩度増減ボタンＳＢとカーソルＣＵＲもリアルタイムに回転する。この回転リングＲＲにより、ユーザは、彩度を一定に保ったまま色相を調整することができる。
【００４０】
彩度増減ボタンＳＢは、回転リングＲＲ上に設けられており、彩度の調整に用いる。ユーザは、彩度増減ボタンＳＢ上の白丸で示した側をマウスでクリックすることにより彩度を上げることができる。このとき、カーソルＣＵＲは、彩度増減ボタンＳＢ側に移動する。同様に、黒丸で示した側をマウスで押せば、彩度を下げることができる。このとき、カーソルＣＵＲは、色相環の中心点側に移動する。この彩度増減ボタンにより、ユーザは、色相を一定に保ったまま彩度を調整することができる。
【００４１】
リングボタンＲＢは、Ｒ，Ｙ，Ｇ，Ｃ，Ｂ，Ｍの６つのボタンにより構成されている。ユーザは、これらのボタンを押すことにより、色相をそのボタンに対応した色相に瞬時に指定することができる。また、リングボタンＲＢを押し続けることにより、彩度を増加させることもできる。図５の下部には、図５の上部の状態から「Ｂ」ボタンを押した例を示した。図示するように、ユーザがリングボタンを押すと、カーソルＣＵＲと彩度増減ボタンＳＢは、色相環ＨＲの中心とリングボタンの中心を結ぶ直線上に移動する。この状態で「Ｂ」ボタンを押し続けるとカーソルＣＵＲが図で示した方向に移動して彩度が増加する。
【００４２】
また、本コントロールでは、ユーザがカーソルＣＵＲをマウスでドラッグすることにより、彩度および色相の両者を同時に調整することができる。このとき、彩度増減ボタンＳＢはカーソルＣＵＲの移動に連動して回転する。
【００４３】
Ｄ．補正値決定処理：
図６は、上述したＧＵＩを用いて補正値を決定する補正値決定処理のフローチャートである。クライアントＰＣのＣＰＵが実行する処理である。本フローチャートでは、上記コントロールのうち代表的なコントロールの操作のみについて示した。
【００４４】
まず、ＣＰＵは、ユーザからＧＵＩの操作があったかどうかを判定する。操作がない場合は、操作があるまで待機する（ステップＳ１０：Ｎｏ）。操作があった場合（ステップＳ１０：Ｙｅｓ）には、操作されたコントロールに応じて以下の処理を行う。
【００４５】
ユーザから回転リングＲＲの操作があった場合には、色相値を入力し（ステップＳ１１）、カーソルＣＵＲおよび彩度増減ボタンＳＢを移動させる（ステップＳ１２）。更に、プレビューの色相を変化させて再表示を行い（ステップＳ１３）、ステップＳ１０に戻る。
【００４６】
ユーザから彩度増減ボタンＳＢの操作があった場合には、彩度を入力し（ステップＳ１４）、カーソルＣＵＲを移動させる（ステップＳ１２）。更に、プレビューの彩度を変化させて再表示を行い（ステップＳ１３）、ステップＳ１０に戻る。
【００４７】
ユーザから明度またはコントラストの操作があった場合には、明度もしくはコントラストの値を入力し（ステップＳ１５）、色相環ＨＲの色を入力した値に応じて変化させ再表示する（ステップＳ１６）。そしてプレビューの明度もしくはコントラストを変化させて再表示を行い（ステップＳ１３）、ステップＳ１０に戻る。
【００４８】
ユーザからＯＫボタンの入力があった場合には、補正値が決定され（ステップＳ１７）、本処理を終了する。また、キャンセルボタンが押された場合は、補正値を決定することなく本処理を終了する。
【００４９】
以上で説明した実施例によれば、ＨＳコントロール等を用いて容易に補正値を設定することができる。実施例では、実際の色調補正をプリンタサーバＰＳ側で行うものとしたが、クライアントＰＣ側で行うものとしてもよい。
【００５０】
以上、本発明の実施の形態について説明したが、本発明は、上述の実施例に何ら限定されるものではなく、その要旨を逸脱しない範囲内において種々の態様で実施し得ることは勿論である。例えば、実施例においてソフトウェアで実現した機能はハードウェアによって実現してもよい。そのほか、以下のような変形例も可能である。
【００５１】
Ｅ．変形例：
（変形例１）：
実施例では、色相環は、赤、黄、緑、シアン、青、マゼンタの各色が連続的に滑らかにつながるように配置するものとしたが、連続的でなくてもよい。連続的であれば詳細な色相の調整ができるが、例えば、上記６色のみでも大まかな色合いの調整は可能だからである。無論、色は６色でなくとも、３色でも１２色でも任意の色数でよい。
【００５２】
（変形例２）：
実施例では、ＨＳコントロールは円形であるものとしたが、閉じた図形、例えば、四角形や五角形、六角形などでもよい。図７には、四角形および六角形の場合のＨＳコントロールを示した。図示したＨＳコントロールでは、回転リングＲＲに代えて彩度増減ボタンＳＢの上部にツマミ部Ｔを設けた。ユーザは、このツマミ部Ｔをマウスでドラッグすることにより彩度増減ボタンをＨＳコントロールの外周に沿って移動させることができる。ツマミ部Ｔは、実施例のＨＳコントロールに適用してもよい。
【００５３】
（変形例３）：
実施例では、色相と彩度を調整する操作部が色相環ＨＲの周囲にあるものとしたが、他の場所に配置することもできる。図８は、操作部を色相環ＨＲから分離した例を示す説明図である。図８（ａ）で示した例では、十字ボタンＸのＡ部およびＢ部を押すことにより彩度を増減させることができる。また、Ｃ部およびＤ部を押すことにより、色相を増減させることができる。図８（ｂ）で示した例では、ダイヤルＹの回転によって色相を調整し、ダイヤル中心部において押すマウスのボタンの種別に応じて彩度を増減させることができる。これらの例で示したように、色相と彩度とを同一の操作部により独立して調整可能とすることにより、コントロールの統一を図ることができるため、利便性の向上を図ることができる。
【００５４】
（変形例４）：
実施例では、ＨＳコントロールやスライドバーを、画像データの色調を補正するために用いるものとしたが、ペイントソフトや文書生成ソフト等の種々のソフトウェアにおいて、ユーザが色を選択するためのコントロールとしても用いることができる。色は、色相、彩度、明度の３つのパラメータにより指定することができるため、ＨＳコントロールやスライドバーＳＬ１を容易に適用することができるからである。
【図面の簡単な説明】
【図１】画像処理や画像出力を行う画像処理システム１０の構成を示す説明図である。
【図２】クライアントＰＣにインストールされた画像処理ソフトウェアの構成の一部を示すブロック図である。
【図３】補正値入力部１３０により提供されるＧＵＩを示す説明図である。
【図４】ＨＳコントロール内に表示される色を示す説明図である。
【図５】ＨＳコントロールの操作方法を示す説明図である。
【図６】補正値を決定する補正値決定処理のフローチャートである。
【図７】ＨＳコントロールの変形例を示す説明図である。
【図８】操作部を色相環から分離した例を示す説明図である。
【符号の説明】
１０…画像処理システム
１００…主制御部
１１０…画像データ入力部
１２０…色調補正部
１３０…補正値入力部
１４０…レイアウト設定部
１５０…印刷処理部
【図１】
2004072168.tif 000003
【図２】
2004072168.tif 000004
【図３】
2004072168.tif 000005
【図４】
2004072168.tif 000006
【図５】
2004072168.tif 000007
【図６】
2004072168.tif 000008
【図７】
2004072168.tif 000009
【図８】
2004072168.tif 000010